(57)【要約】【課題】電線束の固定に使用するクリートを押し込み形クリートにすることにより、組立配線の作業性の向上を図った制御盤にする。【解決手段】本発明の制御盤は、本体筐体１内に固定された複数の制御装置ユニット２と、複数の外部入出力用の端子台４と、複数の制御装置ユニット２と複数の外部入出力用の端子台４のそれぞれを配線する電線を束ねる結束バンド７と、結束バンド７を被固定部材９に固定するクリート８を備え、クリート８が被固定部材９の角穴１４に合う回転防止壁１１が設けられ、クリート８を被固定部材９に押し込むことにより開いて固定される爪部１０が設け、強度を維持しつつ板厚に左右されない押し込み式構造のクリートにすることで、制御盤の組立配線の作業性が向上するものである。【選択図】  図１
2011024318.tif 000002
【特許請求の範囲】
【請求項１】
クリートに被固定部材の角穴に合う回転防止壁を設け、回転を防止するようにし、クリートを被固定部材に押し込むことにより開いて固定される爪部を設けて固定し、結束バンド穴へ結束バンドを通して配線を固定する制御盤。
【請求項２】
本体筐体内に固定された複数の制御装置ユニットと、複数の外部入出力用の端子台と、前記複数の制御装置ユニットと複数の外部入出力用の端子台のそれぞれを配線する電線を束ねる結束バンドと、該結束バンドを被固定部材に固定するクリートを備え、該クリートが前記被固定部材の角穴に合う回転防止壁が設けられ、クリートを被固定部材に押し込むことにより開いて固定される爪部が設けられている制御盤。
【請求項３】
前記クリートに設けられた結束バンド穴内に複数のスリットが形成されている請求項１又は２に記載の制御盤。
【請求項４】
前記爪部は、前記回転防止壁の外側であって、回転防止壁より下部側に２つのＵ字形状で形成されている請求項１又は２に記載の制御盤。
【発明の詳細な説明】
【技術分野】
【０００１】
本発明は、電線束の固定に使用するクリートを押し込み形クリートにすることにより、組立配線の作業性の向上を図った制御盤に関する。
【背景技術】
【０００２】
従来、制御盤は、〔特許文献１〕に記載のように、例えば計器，表示器，表示灯，制御スイッチおよび制御リレー等の監視，制御用器具が表面に装着された表面パネル，電磁リレー，タイマー及びラッチリレー等の監視，制御補助用器具が裏面に装着された側面パネル，電磁リレー，タイマー及びノーヒューズ遮断器等の保護用器具が裏面に装着された裏面パネルで構成されている。
【０００３】
このように構成された従来の制御盤においては、各器具間は配線されており、特に同経路の電線は回路区分ごとに結束バンドで束ねられ、クリートにより部材に固定されている。
【先行技術文献】
【特許文献】
【０００４】
【特許文献１】特開平６−３５１１１３号公報
【発明の概要】
【発明が解決しようとする課題】
【０００５】
上記のように、従来の制御盤の組立配線作業では、束線の固定はクリート及び結束バンドが使用されている。
【０００６】
このような従来の電線束の固定方法では、一般的に、部材の裏側にフランジナット又は角ナットを押し当て、部材の表側にクリートを押し当ててナベネジを用いて締結した後に、結束バンド穴へ結束バンドを通し、電線束を束ねた後、フックボックスへ引き通して、固定する方法が取られている。この場合、部材に予めナット類を溶接しておく、部材にネジ穴を設けておくこともある。
【０００７】
クリートは、ネジ止めであるので、被固定部材の厚みが取り付けに影響することは少なく、ネジで取り付けているので、強度的に強いという利点がある。その反面、ネジを用いて締結するため、部品点数が多く、ネジの取り付けの際にはクリート自体の回転を防止するために指で保持する必要があり、多くの工数を要すという問題点がある。
【０００８】
工数を低減して作業性を向上するためには、ネジを使用しないワンタッチな取り付け方法が求められ、実用化されているものには、押し込み式固定具が挙げられる。しかし、実用されている押し込み式固定具は、特定の厚みの被固定部材にしか対応しておらず、厚みが薄いと回転してしまい、強度的にも弱いという問題点がある。
【０００９】
本発明の目的は、電線束固定を含む組立配線作業の作業性向上を図った制御盤を提供することにある。
【課題を解決するための手段】
【００１０】
上記目的を達成するために、本発明の制御盤は、クリートに被固定部材の角穴に合う回転防止壁を設け、回転を防止するようにし、クリートを被固定部材に押し込むことにより開いて固定される爪部を設けて固定し、結束バンド穴へ結束バンドを通して配線を固定するようにしたものである。
【発明の効果】
【００１１】
本発明によれば、被固定部材への電線束の固定をワンタッチで行え、制御盤組立配線の作業性の向上が図れる。
【図面の簡単な説明】
【００１２】
【図１】本発明の一実施例である制御盤の構成を示す斜視図である。
【図２】制御盤のクリート被固定部材へのクリート固定を説明するための斜視図である。
【図３】電線束固定用クリートの平面図である。
【図４】図３の矢視Ａ−Ａ断面図である。
【図５】図３の矢視Ｂ−Ｂ断面図である。
【図６】電線束固定用クリートを下から見た平面図である。
【発明を実施するための形態】
【００１３】
本発明の一実施例を図１から図６により説明する。図１は、本実施例の制御盤の構成を示す斜視図である。
【００１４】
図１に示すように、本体筐体１は、平面状の上面板２０ａ及び下面板２０ｂ、上面板２０ａと下面板２０ｂとの間の背面側に設けられた背面板２１、上面板２０ａと下面板２０ｂの前方側の隅部に設置された支柱２２ａ，２２ｂ、背面板２１より前方に設けられた中央仕切り板３、支柱２２ａと背面板２１との間の側面に縦方向に２列設けられた取り付け金具５及びクリート８の被固定部材９、支柱２２ｂと背面板２１との間の横方向に複数段設けられた横枠２３で構成されている。図示はしていないが、側面側には、側面板が、正面側には、正面扉が設けられる。
【００１５】
中央仕切り板３には、例えばネジ留めにより複数段の制御装置ユニット２ａ，２ｂ，２ｃ，２ｄが装着されている。取り付け金具５には、例えば複数個の外部入出力用の端子台４ａ，４ｂ，４ｃが設置され、被固定部材９には、複数個のクリート８ａ，８ｂ，８ｃ，８ｄが固定されている。
【００１６】
各制御装置ユニット２ａ，２ｂ，２ｃ，２ｄにそれぞれ設置されている端子台は、他の制御ユニットの端子台及び外部入出力用の端子台４ａ，４ｂ，４ｃと相互に電線で接続されて配線されている。このため、複数の電線が、結束バンド７ａ，７ｂ，７ｃ，７ｄを用いて電線束６として束ねられている。電線束６は、クリート８ａ，８ｂ，８ｃ，８ｄに固定され、クリート８ａ，８ｂ，８ｃ，８ｄは、被固定部材９に固定されている。
【００１７】
クリート８及び被固定部材９は、図２に示すように構成されている。図２に示すように、被固定部材９には角穴１４が設けられ、角穴１４にクリート８に設けられた爪部１０が挿入される。
【００１８】
クリート８は、図３から図６に示すように、本体の上部側に設けられる結束バンド７を通すための結束バンド穴１２と、下部側に設けられる回転防止壁１１及び爪部１０で構成されている。結束バンド穴１２は、上向きの斜め方向に設けられ、長方形状に形成されている。結束バンド穴１２の上向きの斜め方向の側には、爪部１０が設けられている。
【００１９】
結束バンド穴１２には、結束バンド７を通した際に左右へのすべりを防止するためのスリット１３を１mm間隔で形成している。回転防止壁１１は、クリート８本体の下面に２箇所設けられ、角穴１４に挿入されたとき、２箇所の突起状の壁でクリート８が回転しないような位置に設けられている。回転防止壁１１の外側で下方側に、２箇所のＵ字形状の爪部１０が設けられ、爪部１０は厚さが２mmで形成されているので弾性を有し、角穴１４に押し込む際に内側へ曲がり、角穴１４を通り抜けたときに元の形状に広がって被固定部材９に固定されるようになっている。
【００２０】
本実施例の制御盤の組立配線作業は次のようにして行われる。まず、制御盤外の別の場所で、各制御装置ユニット２ａ，２ｂ，２ｃ，２ｄの組立配線作業をそれぞれ行う。次に、各制御装置ユニット２ａ，２ｂ，２ｃ，２ｄを、本体筐体１の中央仕切り板３に組込み、中央仕切り板３にネジ留めする。
【００２１】
取り付け金具５を本体筐体１の側面側にネジ留めし、取り付け金具５の指定された位置に端子台４ａ，４ｂ，４ｃを取り付ける。クリート８を固定するための被固定部材９を本体筐体１の側面側にネジ留めする。
【００２２】
被固定部材９にクリート８を取り付ける作業及び電線束の固定作業について図２を用いて説明する。クリート８の取り付け方向を決め、クリートの爪部１０を被固定部材９に開けた角穴１４に当て、爪部１０が完全に角穴１４を通り抜け、クリート８の裏面が被固定部材９に接するまで押し込む。クリート８の裏面が被固定部材９に接するまで押し込むと、爪部１０が弾性により開くため、クリート８が被固定部材９に締結される。
【００２３】
その後、各クリート８上に配線６を行い、結束バンド穴１２へ結束バンド７ａを通し、電線束を束ねた後、フックボックスへ引き通して固定する。
【００２４】
このように、制御盤の組立配線における電線束の固定を、一定範囲内の被固定材の厚みにおいては被固定材の厚みに左右されることなくワンタッチで、強度も損なわずに行うことができる。
【００２５】
このように、本実施例によれば、クリートをネジ留めすることなく、押し込むだけで、被固定部材に締結でき、クリートの取り付け作業を容易に行えるため、大幅な作業時間の短縮となる。また、クリートが回転せず、強度も保てることから、品質を維持したまま工数低減が可能となる。又、強度を維持しつつ板厚に左右されない押し込み式構造のクリートにすることで、制御盤の組立配線の作業性が向上できる。
【符号の説明】
【００２６】
１  本体筐体
２ａ，２ｂ，２ｃ，２ｄ  制御装置ユニット
３  中央仕切り板
４ａ，４ｂ，４ｃ  端子台
５  取り付け金具
６  電線束
７ａ，７ｂ，７ｃ，７ｄ  結束バンド
８ａ，８ｂ，８ｃ，８ｄ  クリート
９  被固定部材
１０  爪部
１１  回転防止壁
１２  結束バンド穴
１３  スリット
１４  角穴
【図１】
2011024318.tif 000003
【図２】
2011024318.tif 000004
【図３】
2011024318.tif 000005
【図４】
2011024318.tif 000006
【図５】
2011024318.tif 000007
【図６】
2011024318.tif 000008